(57)【要約】【課題】  無縫製である特徴を生かしながら、軽量で簡易にポケットを形成することができるポケット形成部材を提供する。【解決手段】  Ｔシャツの表面に粘着剤を介して取付固定されてポケットＡを形成するポケット形成部材１であって、基体２と、基体２の一面に塗布された粘着剤層３と、粘着剤層３を覆う剥離紙層とで構成する。基体２を、Ｔシャツの表面に装着されてその表面との間にポケット空間を形成するポケット形成部２Ａと、ポケット形成部２Ａの一辺に連なりかつポケット形成部２Ａの内側部分に折り重ね粘着される重合部２Ｂとで形成し、ポケット形成部２Ａに、ＴシャツＢの表面に粘着される粘着周縁部２ａを形成してある。【選択図】        図１
2019203206.tif 000002
【特許請求の範囲】
【請求項１】
既製体の表面に粘着剤を介して取付固定されてポケットを形成するポケット形成部材であって、
基体と、前記基体の一面に塗布された粘着剤層と、前記粘着剤層を覆う剥離紙層とで構成し、前記基体を、前記既製体の表面に装着されてその表面との間にポケット空間を形成するポケット形成部と、前記ポケット形成部の一辺に連なりかつ前記ポケット形成部の内側部分に折り重ね粘着される重合部とで形成し、
前記ポケット形成部に、前記既製体の表面に粘着される粘着周縁部を形成してあるポケット形成部材。
【請求項２】
前記粘着周縁部は、前記重合部が折り重ね粘着されることになる前記ポケット形成部の内側部分を囲む左右両側方と下方との３方に位置して形成されている請求項１記載のポケット形成部材。
【発明の詳細な説明】
【技術分野】
【０００１】
本発明は、既製体の表面に粘着剤を介して取付固定されてポケットを形成するポケット形成部材に関する。
【背景技術】
【０００２】
ワイシャツやＴシャツ等の既製服や手提げ袋等の既製体には、従来、縫製によってポケットが作り込まれており、既製服等にポケットが後から任意に購入者が取り付けることは想定されてなかったが、下記のように無縫製でポケットを取り付けることのできる技術が公開されている（特許公報１）。
【先行技術文献】
【特許文献】
【０００３】
【特許文献１】特開２００３−１２９３１８号公報（段落番号〔０００６〕、図１及び図２）
【発明の概要】
【発明が解決しようとする課題】
【０００４】
上記構成においては、ポケットの輪郭形状に形成されたポケット裏地と、このポケット裏地とほぼ同じ輪郭形状になうように形成され、開口部となる部位を除いて該ポケット裏地の外周部に外周部が逢着固定されたポケット表地と、前記ポケット裏地の背面に塗布された、熱プレスやアイロン等によって熱を加えることにより、カバンや衣服等に固定することができるポケットを構成している。
【０００５】
この構成は、ポケット収納部を予め形成し、その収納部を背面がカバーするポケット裏地の背面全面に亘って粘着剤を塗布し、ポケット裏地の背面全面をワイシャツ等の前身頃の所望位置に接着固定する構成である。
【０００６】
そうすると、このものでは予めポケットを形成し、そのポケットを付加するだけであるから、ポケット裏地とワイシャツの生地とが重なり合うことになり、ポケット形成部材としては、全体として生地が多く必要となり、Ｔシャツ等の軽量な衣服に取り付けるには、軽量さが損なわれることとなる。
【０００７】
本発明の目的は、無縫製である特徴を生かしながら、軽量で簡易にポケットを形成することができるポケット形成部材を提供する点にある。
【課題を解決するための手段】
【０００８】
〔構成〕
請求項１に係る発明の特徴構成は、既製体の表面に粘着剤を介して取付固定されてポケットを形成するポケット形成部材であって、
基体と、前記基体の一面に塗布された粘着剤層と、前記粘着剤層を覆う剥離紙層とで構成し、
前記基体を、前記既製体の表面に装着されてその表面との間にポケット空間を形成するポケット形成部と、前記ポケット形成部の一辺に連なりかつ前記ポケット形成部の内側部分に折り重ね粘着される重合部とで形成し、
前記ポケット形成部に、前記既製体の表面に粘着される粘着周縁部を形成してある点にあり、その作用効果は次の通りである。
【０００９】
〔作用〕
基体のポケット形成部における粘着周縁部を既製体の表面に装着すると、そのポケット形成部と既製体の表面とでポケット空間を形成でき、ポケットが取付られる。その際に、重合部はポケット形成部の内側部分に折り重ねられているので、丁度、重合部自体もポケット空間を挟んで既製体の表面に面しており、ポケット形成部の裏側で補強する構成となっている。これによって、ポケット自体の強度を保持している。
【００１０】
そして、上記作用だけでなく、重合部は更に重要な機能を担っている。上記構成では、ポケット形成部を既製体の表面に取り付けるには、周縁部だけに粘着剤層を形成すればよい。
そうすると、周縁部だけに粘着剤層を形成することになるが、周縁部だけに粘着剤を施すことには、多少の工夫が必要である。そこで、本発明者は、重合部を形成していない基体に、前記重合部の大きさに相当するプラスチック製シートのマスクを導入し、そのマスクを重合部の代わりにポケット形成部の中央部分に装着した後に、粘着剤を全面に亘って塗布し、その後、そのプラスチック製のマスクを剥がして、周縁部だけに粘着剤層が残るようにしていた。
ただ、上記場合には、プラスチック製のマスクが、製造工程で必要になり、かつ、その取付取り外しが余分な工程になり、製造工程が煩雑になる恐れがあった。
【００１１】
そこで、本発明においては、重合部を導入した。つまり、重合部を導入することによって、その重合部を前記ポケット形成部の内側部分に折り重ね粘着させるだけで、プラスチック製のマスクを取り外すといった処理を行うことなく、ポケット形成部の周縁部だけに粘着剤層が形成される。
ということは、ポケット形成部の全面に粘着剤を塗布しても、重合部を折り重ねることによって、周縁部のみに粘着剤層が形成されることになり、周縁部だけに限定した難しい粘着剤の塗布作業を行う必要もない。しかも、プラスチックシートという基体とは異なる材料を必要とせず、基体の一部を利用して重合部を形成しているので、製作面でも有利である。
【００１２】
〔効果〕
Ｔシャツやワイシャツ等の既製体に対して、簡易な手順でポケットを形成することのできる部材を簡素な構造のもので提供することができた。
【００１３】
〔構成〕
請求項２に係る発明の特徴構成は、前記粘着周縁部は、前記重合部が折り重ね粘着されることになる前記ポケット形成部の内側部分を囲む左右両側方と下方との３方に位置して形成されている点にあり、その作用効果は次の通りである。
【００１４】
〔作用効果〕
ポケット形成部に折り重ねられた重合部の周りに位置する粘着周縁部が既製体の表面に粘着固定されることにより、ポケット収納空間が確保でき、ポケット形成部と既製体の表面とでポケットを形成することができる。
【図面の簡単な説明】
【００１５】
【図１】図１は、ポケット形成部材の基体と剥がした剥離紙とを示し、（ａ）は剥離紙側から見た斜視図、（ｂ）は基体側から見た斜視図である。
【図２】図２は、ポケット形成部材の側面図である。
【図３】図３は、既製体としてのＴシャツにポケット形成部材を取り付けた状態を示す正面図である。
【図４】図４は、既製体としての手提げ袋にポケット形成部材を取り付けた状態を示す正面図である。
【図５】図５（ａ）は、ポケット形成部材を剥離紙側から見た斜視図、（ｂ）重合部側剥離紙とポケット形成部側剥離紙を捲り上げている途中の状態を示す斜視図、（ｃ）は重合部をポケット形成部に重ね合わせる途中の状態を示す斜視図、（ｄ）は重合部をポケット形成部に重ね終えた状態を示す斜視図、（ｅ）は粘着周縁部側の第２剥離紙を捲りあげている途中の状態を示す斜視図、（ｆ）は粘着周縁部側の第２剥離紙を捲りあげ終えた状態を示す斜視図である。
【図６】図６は、ポケット形成部材をＴシャツの所定位置に取り付けた状態を示す正面図である。
【発明を実施するための形態】
【００１６】
〔実施形態〕
既製体としての、例えば、図３に示す、ＴシャツＢ、ワイシャツ等の衣服、又は、図４に示す、布製のカバン、バッグ、手提げ袋Ｃに、簡易にポケットＡを取り付けることのできるポケット形成部材１について説明する。
ポケット形成部材１は、図１（a）（ｂ）及び図２に示すように、板状の基体２と、前記基体２の一面に塗布された粘着剤層３と、前記粘着剤層３を覆う剥離紙層４との３層構造に構成されている。
【００１７】
基体２について説明する。図１（a）（ｂ）及び図２に示すように、基体２は、既製体の表面に装着されてその表面との間にポケット空間を形成するポケット形成部２Ａと、前記ポケット形成部２Ａの一辺に連なりかつ前記ポケット形成部２Ａの内側部分に折り重ね粘着される重合部２Ｂとで形成されている。
前記ポケット形成部２Ａに、前記既製体の表面に粘着される粘着周縁部２ａを形成してある。
【００１８】
基体２は、図１（a）（ｂ）及び図２に示すように、横幅の広い板状のポケット形成部２Ａと、ポケット形成部２Ａの一辺から延出され、ポケット形成部２Ａより横幅のやや狭い板状の重合部２Ｂとを、一連の部材として形成してある。
重合部２Ｂには、全面に亘る重合部側の粘着剤３Ｂと、その粘着剤３Ｂを覆う重合部側の剥離紙４Ｂとを取り付けてある。
ポケット形成部２Ａから重合部２Ｂにおける、既製体の表面に装着される際に表に現れる面には、絵柄や図柄、又は、写真等の自己が気にいる装飾を施して、既製体を好みに応じたものにしてもよい。
【００１９】
ポケット形成部２Ａには、全面に亘るポケット形成部側の粘着剤３Ａと、そのポケット形成部側の粘着剤３Ａを、内側部分で覆うポケット形成部側の第１剥離紙４Ａと、粘着周縁部２ａで周縁部側粘着剤３Ｃを覆うポケット形成部側の第３剥離紙４Ｃを取り付けてある。重合部側の第２剥離紙４Ｂとポケット形成部側の第１剥離紙４Ａとは、略同一の四角形を呈している。
但し、第１、第２、第３剥離紙４Ａ、４Ｂ、４Ｃは、別個のものではなく、３つの内の第１剥離紙４Ａと第２剥離紙４Ｂ、又は、第１剥離紙４Ａと第３剥離紙４Ｃは一体のものとして形成してもよく、更には、第１、第２、第３剥離紙４Ａ、４Ｂ、４Ｃが一体のものであってもよい。従って、一体のものであれば、図５で示すように、ここに取り剥がす必要はなく、図示してはいないが、３つの剥離紙４Ａ、４Ｂ、４Ｃを一気に取り外すことができる。
【００２０】
基体２は面繊維製の布であり、ある程度の耐熱性を必要としている。面繊維の基本諸元は次のようなものである。
比    重：１．５４
水分率：８．５％（天然繊維内では比較的低水分率である）
耐熱性：２３５℃（溶融しないが、分解を始める）
引張強さ：乾燥時２．６〜４．３（ｃＮ／ｄtex）
布    厚：０．１ｍｍ〜０．５ｍｍ
その他、基体２の材料としては、ＰＥＴ、ＰＥ、ＰＰ等の合成繊維樹脂も使用可能である。
【００２１】
粘着剤層３について説明する。
粘着剤は、図１（ａ）に示すように、基体２のポケット形成部２Ａのポケット形成部側の粘着剤３Ａから重合部２Ｂの重合部側の粘着剤３Ｂを、基体２の背面側全面に亘って均一厚みで塗布されている。粘着剤３Ａ、３Ｂの厚みは、１０μｍ〜１０００μｍであり、好ましくは５０μｍ〜１００μｍである。
全面に施す際に、均一で塗布したが、接着力を調整する必要がある場合には、厚みを変えたり、ドット状に塗布する方法もある。
粘着剤としては、変性アクリル系樹脂（ソルベント）が採用される。
【００２２】
剥離紙層４について説明する。
図１（a）（ｂ）及び図２に示すように、剥離紙層４は、ポケット形成部側の粘着剤３Ａを内側部分で覆うポケット形成部側の第１剥離紙４Ａと、周縁部で周縁部側の粘着剤３Ｃを覆う周縁部側の第３剥離紙４Ｃとでなり、重合部側の粘着剤３Ｂを覆う第２剥離紙４Ｂとで形成される。
剥離紙４Ａ、４Ｂ、４Ｃとしては、紙、プラスチックフィルムが使用可能である。
【００２３】
次に、ポケット形成部材１を既製体としてのＴシャツＢに取り付ける方法について説明する。
図５（ａ）に示すように、背面に図柄等ｄをプリントした基体２のポケット形成部２Ａと重合部２Ｂとの正面に接着剤層３を介して剥離紙層４を取り付けたポケット形成部材１を準備する。
【００２４】
図５（ｂ）に示すように、重合部側の粘着剤３Ｂを覆う第２剥離紙４Ｂと、ポケット形成部側の粘着剤３Ａを覆うポケット形成部側の第１剥離紙４Ａを捲って剥がす。
【００２５】
重合部側の粘着剤３Ｂと、ポケット形成部側の粘着剤３Ａとを表出させた状態で、図５（ｃ）に示すように、重合部２Ｂとポケット形成部２Ａとの境界部位Ｘを折り曲げ線として、重合部２Ｂをポケット形成部２Ａ側に折り曲げ、図５（ｄ）に示すように、折り重ねる。
【００２６】
そして、図５（ｅ）に示すように、ポケット形成部２Ａの周縁部２ａの周縁部側の第３剥離紙４Ｃを捲って、第３剥離紙３Ｃを剥がし、図５（ｆ）に示すように、周縁部側粘着剤３Ｃを表出させる。
図６に示すように、重合部２ＢをＴシャツＢの前身頃の所望位置に当て付け、ポケット形成部２Ａの粘着周縁部２ａを圧接して、周縁部側粘着剤３Ｃを介してポケット形成部材１を粘着固定する。
粘着固定を更に促進するために、アイロンＤ等の加熱手段、又は、圧接手段を用いてポケット形成部材１を粘着固定し、ポケットＡを形成する。
アイロンＤを使用しての取付固定については、アイロン熱設定を中温状態とし、約２０秒加熱すればよい。
【００２７】
〔別実施構造〕
（１）ポケット形成部材１を取り付ける対象としては、衣服としては、ワイシャツやスラックス等のズボン類でもよく、或いは、図４に示すように、手提げ袋Ｃやカバン類であってもよい。
【産業上の利用可能性】
【００２８】
本発明の構成は、任意の絵柄等を表面に施したポケットを簡易に形成できるハンドメイド品として利用可能である。
【符号の説明】
【００２９】
１      ポケット形成部材
２      基体
２Ａ    ポケット形成部
２Ｂ    重合部
２ａ    粘着周縁部
３      粘着剤層
３Ａ    ポケット形成部側の粘着剤
３Ｂ    重合部側の粘着剤
３Ｃ    周縁部側粘着剤
４      剥離紙層
４Ａ    ポケット形成部側の第１剥離紙
４Ｂ    重合部側の第２剥離紙
４Ｃ    ポケット形成部の周縁部側の第３剥離紙
Ａ      ポケット
Ｂ      Ｔシャツ
Ｃ      手提げ袋
Ｄ      アイロン
Ｘ      重合部とポケット形成部との境界部位
【図１】
2019203206.tif 000003
【図２】
2019203206.tif 000004
【図３】
2019203206.tif 000005
【図４】
2019203206.tif 000006
【図５】
2019203206.tif 000007
【図６】
2019203206.tif 000008
【手続補正書】
【提出日】令和1年9月18日(2019.9.18)
【手続補正１】
【補正対象書類名】特許請求の範囲
【補正対象項目名】全文
【補正方法】変更
【補正の内容】
【特許請求の範囲】
【請求項１】
既製体の表面に粘着剤を介して取付固定されてポケットを形成するポケット形成部材であって、
基体と、前記基体の一部に塗布された粘着剤層と、前記粘着剤層を覆う剥離紙層とで構成し、前記基体を、前記既製体の表面に装着されてその表面との間にポケット空間を形成するポケット形成部と、前記ポケット形成部の一辺に連なりかつ前記ポケット形成部の内側部分の被重合部に折り重ね粘着される重合部とで形成し、
前記ポケット形成部に、前記被重合部の周縁側に位置し前記既製体の表面に粘着される粘着周縁部を形成し、
前記被重合部に、その被重合部に施された粘着剤を覆う第１剥離紙と、
前記重合部に、粘着剤を塗布するとともにその重合部側粘着剤を覆う第２剥離紙と、
前記粘着周縁部に、その粘着周縁部に施された粘着剤を覆う第３剥離紙と、を設けてある、
又は、前記第１剥離紙と前記第２剥離紙を一体とした剥離紙を設けてあるポケット形成部材。
【請求項２】
前記粘着周縁部は、前記重合部が折り重ね粘着されることになる前記ポケット形成部の内側部分の被重合部を囲む左右両側方と下方との３方に位置して形成されている請求項１記載のポケット形成部材。
【手続補正２】
【補正対象書類名】明細書
【補正対象項目名】全文
【補正方法】変更
【補正の内容】
【発明の詳細な説明】
【技術分野】
【０００１】
本発明は、既製体の表面に粘着剤を介して取付固定されてポケットを形成するポケット形成部材に関する。
【背景技術】
【０００２】
ワイシャツやＴシャツ等の既製服や手提げ袋等の既製体には、従来、縫製によってポケットが作り込まれており、既製服等にポケットが後から任意に購入者が取り付けることは想定されてなかったが、下記のように無縫製でポケットを取り付けることのできる技術が公開されている（特許公報１）。
【先行技術文献】
【特許文献】
【０００３】
【特許文献１】特開２００３−１２９３１８号公報（段落番号〔０００６〕、図１及び図２）
【発明の概要】
【発明が解決しようとする課題】
【０００４】
上記構成においては、ポケットの輪郭形状に形成されたポケット裏地と、このポケット裏地とほぼ同じ輪郭形状になるように形成され、開口部となる部位を除いて該ポケット裏地の外周部に外周部が逢着固定されたポケット表地と、前記ポケット裏地の背面に塗布された粘着剤に、熱プレスやアイロン等によって熱を加えることにより、カバンや衣服等に固定することができるポケットを構成している。
【０００５】
この構成は、ポケット収納部を予め形成し、その収納部を背面がカバーするポケット裏地の背面全面に亘って粘着剤を塗布し、ポケット裏地の背面全面をワイシャツ等の前身頃の所望位置に接着固定する構成である。
【０００６】
そうすると、このものでは予めポケットを形成し、そのポケットを付加するだけであるから、ポケット裏地とワイシャツの生地とが重なり合うことになり、ポケット形成部材としては、全体として生地が多く必要となり、Ｔシャツ等の軽量な衣服に取り付けるには、軽量さが損なわれることとなる。
【０００７】
本発明の目的は、無縫製である特徴を生かしながら、軽量で簡易にポケットを形成することができるポケット形成部材を提供する点にある。
【課題を解決するための手段】
【０００８】
〔構成〕
請求項１に係る発明の特徴構成は、既製体の表面に粘着剤を介して取付固定されてポケットを形成するポケット形成部材であって、
基体と、前記基体の一部に塗布された粘着剤層と、前記粘着剤層を覆う剥離紙層とで構成し、前記基体を、前記既製体の表面に装着されてその表面との間にポケット空間を形成するポケット形成部と、前記ポケット形成部の一辺に連なりかつ前記ポケット形成部の内側部分の被重合部に折り重ね粘着される重合部とで形成し、
前記ポケット形成部に、前記被重合部の周縁側に位置し前記既製体の表面に粘着される粘着周縁部を形成し、
前記被重合部に、その被重合部に施された粘着剤を覆う第１剥離紙と、
前記重合部に、粘着剤を塗布するとともにその重合部側粘着剤を覆う第２剥離紙と、
前記粘着周縁部に、その粘着周縁部に施された粘着剤を覆う第３剥離紙と、を設けてある、
又は、前記第１剥離紙と前記第２剥離紙を一体とした剥離紙を設けてある
点にあり、その作用効果は次の通りである。
【０００９】
〔作用〕
基体のポケット形成部における粘着周縁部を既製体の表面に装着すると、そのポケット形成部と既製体の表面とでポケット空間を形成でき、ポケットが取付られる。その際に、重合部はポケット形成部の内側部分の被重合部に折り重ねられているので、丁度、重合部自体もポケット空間を挟んで既製体の表面に面しており、ポケット形成部の裏側で補強する構成となっている。これによって、ポケット自体の強度を保持している。
【００１０】
そして、上記作用だけでなく、重合部は更に重要な機能を担っている。上記構成では、ポケット形成部を既製体の表面に取り付けるには、周縁部だけに粘着剤層を形成すればよい。
そうすると、周縁部だけに粘着剤層を形成することになるが、周縁部だけに粘着剤を施すことには、多少の工夫が必要である。そこで、本発明者は、重合部を形成していない基体に、前記重合部の大きさに相当するプラスチック製シートのマスクを導入し、そのマスクを重合部の代わりにポケット形成部の中央部分の被重合部に装着した後に、粘着剤を全面に亘って塗布し、その後、そのプラスチック製のマスクを剥がして、周縁部だけに粘着剤層が残るようにしていた。
ただ、上記場合には、プラスチック製のマスクが、製造工程で必要になり、かつ、その取付取り外しが余分な工程になり、製造工程が煩雑になる恐れがあった。
【００１１】
そこで、本発明においては、重合部を導入した。つまり、重合部を導入することによって、その重合部を前記ポケット形成部の内側部分の被重合部に折り重ね粘着させるだけで、プラスチック製のマスクを取り外すといった処理を行うことなく、ポケット形成部の周縁部だけに粘着剤層が形成される。
ということは、ポケット形成部の全面に粘着剤を塗布しても、重合部を折り重ねることによって、周縁部のみに粘着剤層が形成されることになり、周縁部だけに限定した難しい粘着剤の塗布作業を行う必要もない。しかも、プラスチックシートという基体とは異なる材料を必要とせず、基体の一部を利用して重合部を形成しているので、製作面でも有利である。
【００１２】
〔効果〕
Ｔシャツやワイシャツ等の既製体に対して、簡易な手順でポケットを形成することのできる部材を簡素な構造のもので提供することができた。
【００１３】
〔構成〕
請求項２に係る発明の特徴構成は、前記粘着周縁部は、前記重合部が折り重ね粘着されることになる前記ポケット形成部の内側部分の被重合部を囲む左右両側方と下方との３方に位置して形成されている点にあり、その作用効果は次の通りである。
【００１４】
〔作用効果〕
ポケット形成部に折り重ねられた重合部の周りに位置する粘着周縁部が既製体の表面に粘着固定されることにより、ポケット収納空間が確保でき、ポケット形成部と既製体の表面とでポケットを形成することができる。
【図面の簡単な説明】
【００１５】
【図１】図１は、ポケット形成部材の基体と剥がした剥離紙とを示し、（ａ）は剥離紙側から見た斜視図、（ｂ）は基体側から見た斜視図である。
【図２】図２は、ポケット形成部材の側面図である。
【図３】図３は、既製体としてのＴシャツにポケット形成部材を取り付けた状態を示す正面図である。
【図４】図４は、既製体としての手提げ袋にポケット形成部材を取り付けた状態を示す正面図である。
【図５】図５（ａ）は、ポケット形成部材を剥離紙側から見た斜視図、（ｂ）重合部側剥離紙とポケット形成部側剥離紙を捲り上げている途中の状態を示す斜視図、（ｃ）は重合部をポケット形成部に重ね合わせる途中の状態を示す斜視図、（ｄ）は重合部をポケット形成部に重ね終えた状態を示す斜視図、（ｅ）は粘着周縁部側の第２剥離紙を捲りあげている途中の状態を示す斜視図、（ｆ）は粘着周縁部側の第２剥離紙を捲りあげ終えた状態を示す斜視図である。
【図６】図６は、ポケット形成部材をＴシャツの所定位置に取り付けた状態を示す正面図である。
【発明を実施するための形態】
【００１６】
〔実施形態〕
既製体としての、例えば、図３に示す、ＴシャツＢ、ワイシャツ等の衣服、又は、図４に示す、布製のカバン、バッグ、手提げ袋Ｃに、簡易にポケットＡを取り付けることのできるポケット形成部材１について説明する。
ポケット形成部材１は、図１（a）（ｂ）及び図２に示すように、板状の基体２と、前記基体２の一面に塗布された粘着剤層３と、前記粘着剤層３を覆う剥離紙層４との３層構造に構成されている。
【００１７】
基体２について説明する。図１（a）（ｂ）及び図２に示すように、基体２は、既製体の表面に装着されてその表面との間にポケット空間を形成するポケット形成部２Ａと、前記ポケット形成部２Ａの一辺に連なりかつ前記ポケット形成部２Ａの内側部分の被重合部に折り重ね粘着される重合部２Ｂとで形成されている。
前記ポケット形成部２Ａに、前記既製体の表面に粘着される粘着周縁部２ａを形成してある。
【００１８】
基体２は、図１（a）（ｂ）及び図２に示すように、横幅の広い板状のポケット形成部２Ａと、ポケット形成部２Ａの一辺から延出され、ポケット形成部２Ａより横幅のやや狭い板状の重合部２Ｂとを、一連の部材として形成してある。
重合部２Ｂには、全面に亘る重合部側の粘着剤３Ｂと、その粘着剤３Ｂを覆う重合部側の剥離紙４Ｂとを取り付けてある。
ポケット形成部２Ａから重合部２Ｂにおける、既製体の表面に装着される際に表に現れる面には、絵柄や図柄、又は、写真等の自己が気にいる装飾を施して、既製体を好みに応じたものにしてもよい。
【００１９】
ポケット形成部２Ａには、全面に亘るポケット形成部側の粘着剤３Ａと、そのポケット形成部側の粘着剤３Ａを、内側部分で覆うポケット形成部側の第１剥離紙４Ａと、粘着周縁部２ａで周縁部側粘着剤３Ｃを覆うポケット形成部側の第３剥離紙４Ｃを取り付けてある。重合部側の第２剥離紙４Ｂとポケット形成部側の内側部分の被重合部を覆う第１剥離紙４Ａとは、略同一の四角形を呈している。
但し、第１、第２、第３剥離紙４Ａ、４Ｂ、４Ｃは、別個のものではなく、３つの内の第１剥離紙４Ａと第２剥離紙４Ｂ、又は、第１剥離紙４Ａと第３剥離紙４Ｃは一体のものとして形成してもよく、更には、第１、第２、第３剥離紙４Ａ、４Ｂ、４Ｃが一体のものであってもよい。従って、一体のものであれば、図５で示すように、ここに取り剥がす必要はなく、図示してはいないが、３つの剥離紙４Ａ、４Ｂ、４Ｃを一気に取り外すことができる。
【００２０】
基体２は面繊維製の布であり、ある程度の耐熱性を必要としている。面繊維の基本諸元は次のようなものである。
比    重：１．５４
水分率：８．５％（天然繊維内では比較的低水分率である）
耐熱性：２３５℃（溶融しないが、分解を始める）
引張強さ：乾燥時２．６〜４．３（ｃＮ／ｄtex）
布    厚：０．１ｍｍ〜０．５ｍｍ
その他、基体２の材料としては、ＰＥＴ、ＰＥ、ＰＰ等の合成繊維樹脂も使用可能である。
【００２１】
粘着剤層３について説明する。
粘着剤は、図１（ａ）に示すように、基体２のポケット形成部２Ａのポケット形成部側の粘着剤３Ａから重合部２Ｂの重合部側の粘着剤３Ｂを、基体２の背面側全面に亘って均一厚みで塗布されている。粘着剤３Ａ、３Ｂの厚みは、１０μｍ〜１０００μｍであり、好ましくは５０μｍ〜１００μｍである。
全面に施す際に、均一で塗布したが、接着力を調整する必要がある場合には、厚みを変えたり、ドット状に塗布する方法もある。
粘着剤としては、変性アクリル系樹脂（ソルベント）が採用される。
【００２２】
剥離紙層４について説明する。
図１（a）（ｂ）及び図２に示すように、剥離紙層４は、ポケット形成部側の粘着剤３Ａを内側部分の被重合部を覆うポケット形成部側の第１剥離紙４Ａと、周縁部で周縁部側の粘着剤３Ｃを覆う周縁部側の第３剥離紙４Ｃとでなり、重合部側の粘着剤３Ｂを覆う第２剥離紙４Ｂとで形成される。
剥離紙４Ａ、４Ｂ、４Ｃとしては、紙、プラスチックフィルムが使用可能である。
【００２３】
次に、ポケット形成部材１を既製体としてのＴシャツＢに取り付ける方法について説明する。
図５（ａ）に示すように、背面に図柄等ｄをプリントした基体２のポケット形成部２Ａと重合部２Ｂとの正面に接着剤層３を介して剥離紙層４を取り付けたポケット形成部材１を準備する。
【００２４】
図５（ｂ）に示すように、重合部側の粘着剤３Ｂを覆う第２剥離紙４Ｂと、ポケット形成部側の粘着剤３Ａを覆うポケット形成部側の第１剥離紙４Ａを捲って剥がす。
【００２５】
重合部側の粘着剤３Ｂと、ポケット形成部側の粘着剤３Ａとを表出させた状態で、図５（ｃ）に示すように、重合部２Ｂとポケット形成部２Ａとの境界部位Ｘを折り曲げ線として、重合部２Ｂをポケット形成部２Ａ側の内側部分の被重合部に折り曲げ、図５（ｄ）に示すように、折り重ねる。
【００２６】
そして、図５（ｅ）に示すように、ポケット形成部２Ａの周縁部２ａの周縁部側の第３剥離紙４Ｃを捲って、第３剥離紙３Ｃを剥がし、図５（ｆ）に示すように、周縁部側粘着剤３Ｃを表出させる。
図６に示すように、重合部２ＢをＴシャツＢの前身頃の所望位置に当て付け、ポケット形成部２Ａの粘着周縁部２ａを圧接して、周縁部側粘着剤３Ｃを介してポケット形成部材１を粘着固定する。
粘着固定を更に促進するために、アイロンＤ等の加熱手段、又は、圧接手段を用いてポケット形成部材１を粘着固定し、ポケットＡを形成する。
アイロンＤを使用しての取付固定については、アイロン熱設定を中温状態とし、約２０秒加熱すればよい。
【００２７】
〔別実施構造〕
（１）ポケット形成部材１を取り付ける対象としては、衣服としては、ワイシャツやスラックス等のズボン類でもよく、或いは、図４に示すように、手提げ袋Ｃやカバン類であってもよい。
【産業上の利用可能性】
【００２８】
本発明の構成は、任意の絵柄等を表面に施したポケットを簡易に形成できるハンドメイド品として利用可能である。
【符号の説明】
【００２９】
１      ポケット形成部材
２      基体
２Ａ    ポケット形成部
２Ｂ    重合部
２ａ    粘着周縁部
３      粘着剤層
３Ａ    ポケット形成部側の粘着剤
３Ｂ    重合部側の粘着剤
３Ｃ    周縁部側粘着剤
４      剥離紙層
４Ａ    ポケット形成部側の第１剥離紙
４Ｂ    重合部側の第２剥離紙
４Ｃ    ポケット形成部の周縁部側の第３剥離紙
Ａ      ポケット
Ｂ      Ｔシャツ
Ｃ      手提げ袋
Ｄ      アイロン
Ｘ      重合部とポケット形成部との境界部位